(57)【要約】  【課題】  建造物の外壁面に架設された雨樋等の管体又は棒体に装着することにより、これらを支えとしてなされる外壁面の昇降を有効に防止することができる昇降防止具を提供する。  【解決手段】  一面に突出する針状突起12，12…を長手方向に複数並設してある突起板１，１，１と、これらの突起板１，１，１の他面に長手方向を交叉させて結合され、装着対象となる管体５への巻き付けにより、この管体５に長手方向を沿わせて突起板１，１，１を固定支持する止め板２，２，２とを備えた構成とする。【選択図】      図７
2006169743.tif 000002
【特許請求の範囲】
【請求項１】
建造物の外壁面に沿って架設された管体又は棒体を把持してなされる前記外壁面の昇降を防止すべく、前記管体又は棒体に装着して用いられる昇降防止具であって、
一面に突出する針状突起を長手方向に複数並設してある突起板と、
該突起板の他面に長手方向を交叉させて結合され、前記管体又は棒体への巻き付けにより、該管体又は棒体に長手方向を沿わせて前記突起板を固定する止め板と
を備えることを特徴とする昇降防止具。
【請求項２】
前記突起板は、前記止め板の長手方向に間隔を隔てて複数結合してある請求項１記載の昇降防止具。
【請求項３】
前記止め板は、前記突起板の長手方向に間隔を隔てて複数結合してある請求項１又は請求項２記載の昇降防止具。
【請求項４】
前記針状突起は、前記突起板の長手方向の両側縁に一体形成された針部を、前記一面の側に折り曲げて形成してある請求項１乃至請求項３のいずれかに記載の昇降防止具。
【請求項５】
前記止め板は、前記管体又は棒体への巻き付けにより、該管体又は棒体の周面に貼着される貼着手段を備える請求項１乃至請求項４のいずれか記載の昇降防止具。
【発明の詳細な説明】
【技術分野】
【０００１】
本発明は、雨水排水管等、建造物の外壁面に縦位置に架設してある管体又は柱体に取り付けられて用いられる昇降防止具に関する。
【背景技術】
【０００２】
家屋、ビルディング等の多くの建造物の外壁面には、主として屋上に降りかかる雨水を集めて排水するための雨水排水管が、屋上階から地上階に至るまで縦位置に架設されている。この雨水排水管は、マンション、アパート等の集合住宅においては、各階層のベランダに設けた排水口に連通され、夫々の階層に振り込む雨水、掃除等に使用した生活用水の排水管としても兼用されている。
【０００３】
この雨水排水管は、金属製又は樹脂製の管体を複数本連結してなる長寸の管体であり、一般的には、対象となる外壁面に適宜の間隔毎に打設された複数の支持具により軸長方向の複数か所を固定支持し、前記外壁面に沿って架設されている。ところが、このように架設された雨水排水管は、これを把持して、外壁面を昇降するための支えとして使用することが可能であり、特に、前述した集合住宅のように、ベランダに設けた排水口に連通させるために、雨水排水管の架設位置を各階層のベランダの近くに設定した場合、この雨水排水管を支えとする外壁面の昇降が、地上階又は屋上階から各階層への悪意の侵入に利用される虞れがある。
【０００４】
そこで従来から、このような昇降を防止するための対策が種々実施されており、第１の対策として、前記支持具の外周又は前記管体の中途部外周に、周方向に並ぶ複数本の針を外向きに突設し、昇降のために必要な管体の把持を防止するようにしたものがあり、第２の対策として、前記支持具の一部又は全部の強度を弱め、昇降のために体重が付加されたとき破断するようにしたものがある。
【０００５】
なお、雨水排水管を対象としてなされた以上の昇降防止対策については、出願人の見聞により知り得たものであるが、これらの技術が記載された特許文献又は非特許文献を見い出すことはできなかった。
【発明の開示】
【発明が解決しようとする課題】
【０００６】
ところが、第１の対策においては、昇降を断念させるための所定の効果は得られるが、実際には、針状突起の突設位置を避けて上下両側を把持することにより体を支えることができ、更には、周方向に並ぶ針状突起が手掛かり又は足掛かりとなって、前述した昇降を逆に補助する虞れさえあって、本来の目的を果たすことは難しい。
【０００７】
また第２の対策においては、支持具又は管体の破断により管体を把持しての昇降は不可能となり、昇降の防止という本来の目的は達成することができるが、支持具又は管体の破断が、昇降時以外の外力の付加によっても発生するため、頻繁な取り換えを強いられるという問題がある。
【０００８】
更に、上記第１、第２の対策はいずれも、雨水排水管を新規に配管する際に適用可能な対策であって、既に配管済みの雨水排水管への適用は難しいという問題がある。なお、建造物の外壁面には、水道水及びガスの配管、並びに、電気配線及び電話線を収容する配管等の管体、更には、種々の目的による棒体が架設される場合もあり、これらの管体又は棒体に対しても同様の昇降防止対策が必要となる。
【０００９】
本発明は斯かる事情に鑑みてなされたものであり、建造物の外壁面に架設された管体又は棒体に装着することにより、これらを支えとしてなされる外壁面の昇降を有効に防止することができ、また架設済みの管体又は棒体への適用も可能である昇降防止具を提供することを目的とする。
【００１０】
また本発明の他の目的は、対象となる管体又は棒体への装着が容易である一方、装着後の取り外しが難しく、更には、簡素な構成を有する安価な昇降防止具を提供することを目的とする。
【課題を解決するための手段】
【００１１】
本発明の第１発明に係る昇降防止具は、建造物の外壁面に沿って架設された管体又は棒体を把持してなされる前記外壁面の昇降を防止すべく、前記管体又は棒体に装着して用いられる昇降防止具であって、一面に突出する針状突起を長手方向に複数並設してある突起板と、該突起板の他面に長手方向を交叉させて結合され、前記管体又は棒体への巻き付けにより、該管体又は棒体に長手方向を沿わせて前記突起板を固定支持する止め板とを備えることを特徴とする。
【００１２】
本発明においては、長手方向に複数の針状突起を並設してある突起板を、これに交叉して結合された止め板の巻き付けにより、針状突起が並ぶ前記突起板の長手方向を装着対象となる管体又は棒体の軸長方向に沿わせて固定支持し、これらの管体又は棒体の外側からの把持を、針状突起が突出する突起板の長さ範囲内にて困難とし、前記管体又は棒体を支えとしてなされる架設壁面の昇降を有効に防止する。止め板の巻き付けによる突起板の装着は、建造物の外壁面への架設済みの管体又は棒体に対しても実施可能である。
【００１３】
また本発明の第２発明に係る昇降防止具は、第１発明における突起板が、前記止め板の長手方向に間隔を隔てて複数結合してあることを特徴とする。
【００１４】
この発明においては、針状突起を備える突起板を止め板に複数結合し、該止め板を管体又は棒体に巻き付けたとき、これらの周上に各突起板の針状突起を並べて、突起板の長さ範囲内での管体又は棒体の把持をより一層難しくする。
【００１５】
また本発明の第３発明に係る昇降防止具は、第１又は第２発明における止め板が、前記突起板の長手方向に間隔を隔てて複数結合してあることを特徴とする。
【００１６】
この発明においては、突起板の長手方向に複数結合された止め板を装着対象となる管体又は棒体に巻き付けて、該管体又は棒体への突起板の固定支持を安定して行わせる。
【００１７】
また本発明の第４発明に係る昇降防止具は、第１〜第３発明における針状突起が、前記突起板の長手方向の両側縁に一体形成された針部を、前記一面の側に折り曲げて形成してあることを特徴とする。
【００１８】
この発明においては、両側縁に針部を一体形成してなる突起板を、例えば、板材の打ち抜きにより構成し、これらの針部を一面側に折り曲げて、一面に複数の針状突起が突設された突起板を簡素に構成する。
【００１９】
更に本発明の第５発明に係る昇降防止具は、第１〜第４発明における止め板が、前記管体又は棒体への巻き付けにより、該管体又は棒体の周面に貼着される貼着手段を備えることを特徴とする。
【００２０】
この発明においては、装着対象となる管体又は棒体への止め板の巻き付け面に両面テープ等の貼着手段を備え、止め板の巻き付けによりこの貼着手段を管体又は棒体の周面に貼着させて、突起板の固定支持をより確実にし、また固定作業を容易にする。
【発明の効果】
【００２１】
本発明の第１発明に係る昇降防止具においては、止め板の巻き付けにより管体又は棒体に突起板を固定支持することにより、該突起板の長手方向に並設された針状突起が前記管体又は棒体の軸長方向に並んで突出するから、前記管体又は棒体の外側からの把持が突起板の長さ範囲内にて困難となり、これらが架設された建造物の外壁面の昇降を有効に防止することができ、この昇降による前記建造物の各階層への悪意の侵入を阻止し、良好な防犯効果が得られると共に、止め板の巻き付けによる装着は、前記外壁面への架設済みの管体又は棒体に対しても、昇降防止のために広範に適用することができる。
【００２２】
また第２発明に係る昇降防止具においては、複数の突起板を止め板に結合したから、各突起板の針状突起が管体又は棒体の周方向に並び、これらの把持が一層困難となって、前記管体又は棒体が架設された建造物の外壁面の昇降をより有効に防止することができる。      
【００２３】
また第３発明に係る昇降防止具においては、複数の止め板を突起板に結合したかた、装着対象となる管体又は棒体への各止め板の巻き付けにより、突起板を安定して固定支持することができ、前記管体又は棒体の把持を有効に防止し得ると共に、悪意による取り外しを阻止することができる。
【００２４】
また第４発明に係る昇降防止具においては、突起板に針状突起を一体形成したから、部品点数の削減による構成の簡素化を図ることができる。
【００２５】
更に第５発明に係る昇降防止具においては、止め板に備えられた貼着手段が、該止め板が巻き付けられた管体又は棒体の周面に貼着されるから、該止め板による突起板の固定支持をより確実に行わせ、また、ワンタッチにて容易に行わせることができ、更には、悪意による取り外しをより有効に阻止することができる等、本発明は優れた効果を奏する。
【発明を実施するための最良の形態】
【００２６】
以下本発明をその実施の形態を示す図面に基づいて詳述する。図１は、本発明に係る昇降防止具の正面図、図２は、同じく背面図、図３は、同じく左右両側からの側面図、図４は、上下両側からの平面図である。
【００２７】
これらの図に示す昇降防止具は、３つの突起板１，１，１と、これらを互いに平行をなして連結する３つの止め板２，２とを備えている。前記突起板１は、一方向に長い矩形の平板であり、適幅の基部10の幅方向の両側を厚さ方向の同側に折り曲げて形成され、前記基部10に対して略等しい角度を有して傾斜する傾斜部11，11を備えており、両傾斜部11，11の端縁の夫々には、鋭角に尖らせた先端を有する多数の針状突起12，12…が、長手方向に適宜の間隔毎に並べて一体に突設されている。
【００２８】
図５は、突起板１の製造手順の説明図である。突起板１は、図５（ａ）に一部を示す如く所定の幅を有する矩形平板13を素材として用い、該矩形平板13の幅方向両側の打ち抜き加工により、図５（ｂ）に示す如く夫々所定数の針部12′，12′…を一体形成し、次いで，これらの針部12′，12′…の形成域を含む両側を、図５（ｂ）中に破線により示す如く長手方向に沿った各別の折り線に沿って一面側に折り曲げ成形し、基部10の両側の傾斜部11，11と夫々の端縁に沿って並ぶ針状突起12，12…と一体形成して、図５（ｃ）に示す如く製造される。
【００２９】
また突起板１には、長手方向の端部から適長内側の基部10の幅方向中央に、後述する止め板２との結合のための２つのリベット孔14，14が長手方向に並べて形成されている。これらのリベット孔14，14は、前記針状突起12，12…の打ち抜き工程において同時に形成することができ、図５に示されない突起板１の逆側端部、及び長手方向の中央部にも同様に形成されている。
【００３０】
以上の手順による突起板１の製造は、上型及び下型との間にて打ち抜き及び曲げを一括して行うプレス機により、矩形平板13を素材として一工程にて実施可能である。このように製造される突起板１は、打ち抜き及び曲げ加工が可能な金属材料であり、また外気に曝される環境下での長期間の使用により錆を生じず、十分な強度を有する必要があることから、例えば、SUS304等のステンレス鋼製とするのが好ましい。また突起板１は、曲げ成形された傾斜部11，11の存在により高い断面二次モーメントを有するから、薄肉の材料により十分な強度を確保することができ、軽量に構成することができる。なお突起板１は、金属材料製に限らず、高強度樹脂による樹脂成形品として構成することも可能である。
【００３１】
一方止め板２は、図１及び図２に良く示されているように、一方向に長く、略一定の幅を有する矩形の平板であり、長手方向一側の端縁近傍には、幅方向に延びるスリット孔20が形成されており、長手方向他側の端部には、前記スリット孔20への挿入が可能な幅を有する締め付け片21が連設されている。
【００３２】
図６は、止め板２の外観斜視図であり、突起板１との結合手順の説明図を兼ねている。本図に示す如く止め板２には、長手方向の中央と、該位置の両側に略等長に振り分けられた２位置とに、突起板１の基部10に設けられたリベット孔14，14と対応する各２つのリベット孔22，22が、幅方向に並べて形成されている。
【００３３】
この止め板２は、突起板１と同様に、外気に曝される使用環境下にて錆を生じず、所定の強度を有することが要求され、また、後述する使用状態において、装着対象となる管体又は棒体の外周に容易に巻き付け得ることが要求される。これらの要求に応え得る止め板２は、例えば、SUS304等のステンレス鋼製の0.3mm 厚の板材の打ち抜き加工により、締め付け片21を含めて一体形成することができる。
【００３４】
このような止め板２と前記突起板１とは、止め板２の一面に突起板１を互いに直交するように載置し、前者のリベット孔22．22と後者のリベット孔14，14とが整合するように位置決めした後、リベット孔22，22の夫々に止め板２の他面側から固定用のリベット３，３を挿通し、リベット孔14，14から突出するリベット３，３の先端部をかしめる手順により一体に結合される。
【００３５】
この結合は、止め板２の３位置に設けられたリベット孔22，22の夫々において各別の突起板１，１，１に対しても実施され、また、各突起板１，１，１の長手方向の中央部及び他端部に夫々設けられたリベット孔14，14において他の２つの止め板２に対して実施されて、図１〜図４に示す如く、夫々の針状突起12，12…の突設側を同向きとして互いに平行をなして並ぶ３つの突起板１，１，１が、これらと略直交する３つの止め板２，２，２により相互に連結されてなる本発明に係る昇降防止具が構成される。
【００３６】
なお、図２に示される止め板２の背面は、前記リベット３，３…の挿通後に貼着され、図６にも示されている両面テープ４により、スリット孔20の形成位置を除く略全長に亘って覆われている。また図１には、かしめにより潰されたリベット３，３…の先端部が図示されている。
【００３７】
図７及び図８は、以上の如く構成された本発明に係る昇降防止具の使用状態の説明図である。本発明に係る昇降防止具は、雨水排水管、ガス管、水道管等、建造物の外壁面に縦位置に架設された管体又は棒体の中途に装着して用いられる。
【００３８】
図中の５は装着対象としての管体であり、前述の如く構成された昇降防止具は、この管体５の軸長方向に突起板１，１，１の長手方向を沿わせて位置決めし、止め板２，２，２の夫々を管体５の外周面に巻き付けて、図８に示す如く、締め付け片21の先端をスリット孔20に背面側から挿通し、正面側に引き出された締め付け片21の先端を逆側に折り返し、この折り返し部を、図８中に白抜矢符により示す如く周方向に引き絞る手順により、各止め板２，２，２を管体５の該当位置を締め付けて固定される。
【００３９】
なおこのとき、各止め板２，２，２の背面に貼着された両面テープ４，４，４が管体５の外周面に押し付けられて貼着される結果、管体５への止め板２，２，２の固定、及びこれらによる突起板１，１，１の固定支持は、簡易に実現されることとなり、このような固定支持状態は、締め付け片21の引き絞りを解除した後も確実に維持される。更には、引き絞られた締め付け片21の折り返し端を、かしめ、接着等の適宜の手段により、背面側に重なる締め付け片21の中途部に固着することにより一層強化することができる。
【００４０】
この固定により昇降防止具は、管体５の外周面上において各突起板１，１, １が周方向に間隔を隔てて並び、各突起板１，１, １の両側に突設された針状突起12，12…が、夫々の周方向位置において管体５の外周面から径方向外向きに突出する状態に装着される。このような装着は、各種建造物の外壁面に既に架設済みの管体５を対象とする場合であっても、前述した手順によりワンタッチにて速やかに行わせることができる。
【００４１】
なお、図７及び図８中に２点鎖線により示す如く、管体５の中途を支持する支持具６を利用し、突起板１，１，１の下縁を支えることにより、止め板２，２，２の締め付け力、及び両面テープ４，４，４の貼着力が弱まった後においても装着状態を維持することが可能である。
【００４２】
このように昇降防止具が装着された管体５は、突起板１，１，１の長さ範囲内において外側から把持することは困難であり、突起板１，１，１の長さを適宜に選定することにより、管体５を支えとしてなされる建造物の外壁面の昇降を有効に防止することができ、この昇降によってなされる建造物の各階層への地上階又は屋上階からの悪意の侵入を排除して防犯効果を高めることが可能となる。
【００４３】
突起板１，１，１は、３つの止め板２，２，２の巻き付けにより管体５に固定支持されており、ぐらつきのない安定した支持状態が得られる。また止め板２，２，２は、自身による締め付けに加えて、貼着手段としての両面テープ６の貼着により管体５に固定されており、確実な固定が可能であると共に、悪意による取り外しは困難である。
【００４４】
なお、以上の実施の形態においては、３つの突起板１，１，１と、これらを連結する３つの止め板２，２，２とを備える構成について述べたが、突起板１，１，１の個数は、把持を防止するという観点から見た場合、装着対象となる管体５の周上にて干渉しない範囲において可及的に多い方が望ましく、また止め板２，２，２の個数は、固定を確実にし、取り外しを困難とするという観点から見た場合、突起板１，１，１の長さ範囲内において可及的に多い方が望ましい一方、これらの数の増加は、製品コストの増大を招来することから、突起板１及び止め板２の個数は、コスト対効果を考慮して選定すればよい。
【００４５】
また以上の実施の形態においては、突起板１と止め板２とをリベット３，３によって結合してあるが、ボルト止め、溶接、ロー付け、接着等の他の手段により結合を実現してもよいことは言うまでもない。
【図面の簡単な説明】
【００４６】
【図１】本発明に係る昇降防止具の正面図である。
【図２】本発明に係る昇降防止具の背面図である。
【図３】本発明に係る昇降防止具の左右両側からの側面図である。
【図４】本発明に係る昇降防止具の上下両側からの平面図である。
【図５】突起板の製造手順の説明図である。
【図６】止め板の外観斜視図である。
【図７】本発明に係る昇降防止具の使用状態の説明図である。
【図８】本発明に係る昇降防止具の使用状態の説明図である。
【符号の説明】
【００４７】
１    突起板
２    止め板
４    両面テープ（貼着手段）
５    管体
12    針状突起
【図１】
2006169743.tif 000003
【図２】
2006169743.tif 000004
【図３】
2006169743.tif 000005
【図４】
2006169743.tif 000006
【図５】
2006169743.tif 000007
【図６】
2006169743.tif 000008
【図７】
2006169743.tif 000009
【図８】
2006169743.tif 000010